(57)【要約】【課題】映像を表示する表示パネルを支持する部材、及び光を拡散する光学シートを支持する部材を小型化し、薄型化を図ることができる表示装置を提供する。【解決手段】矩形のバックライトシャーシ５の上下側部に、互いに対向する第１支持板部５ｃ及び第２支持板部５ｅをバックライトシャーシ５と一体に設け、該第１支持板部５ｃ及び第２支持板部５ｅの間にて光学シート６を支持すると共に、第２支持板部５ｅの正面にて表示パネル２を支持する構成とした。【選択図】図２
2009210813.tif 000002
【特許請求の範囲】
【請求項１】
映像を表示する表示パネルと、該表示パネルの背面側に配置してあり、光を拡散する光学シートと、該光学シートの背面側に配置してあり、光源を支持するシャーシとを備える表示装置において、
前記シャーシと一体に設けてあり、前記光学シートを支持するシート支持部を備え、
前記シート支持部の一部にて前記表示パネルを支持するようにしてあることを特徴とする表示装置。
【請求項２】
前記シート支持部は、前記光学シートの背面を支持する第１シート支持板部と、該第１シート支持板部に対向しており、前記光学シートの正面を支持する第２シート支持板部とを備え、該第２シート支持板部の正面にて、前記表示パネルの背面を支持するようにしてあることを特徴とする請求項１に記載の表示装置。
【請求項３】
前記第２シート支持板部の前記第１シート支持板部に対向する角部分に傾斜面を形成してあることを特徴とする請求項２に記載の表示装置。
【請求項４】
前記シート支持部を複数備え、
前記シャーシは四角形状をなし、
前記シャーシの互いに対向する二つの縁部分に前記シート支持部をそれぞれ設けてあること
を特徴とする請求項１から３のいずれか一つに記載の表示装置。
【請求項５】
光源を支持するシャーシと、該シャーシの正面側に配置してあり、前記光源から照射された光を拡散する光学シートと、該光学シートの正面側に配置してあり、該光学シートを透過した光により映像を表示する表示パネルとを備える表示装置において、
前記光学シートを支持するシート支持部及び前記表示パネルを支持するパネル支持板部を前記シャーシと一体に設けてあること
を特徴とする表示装置。
【請求項６】
前記シート支持部は、前記光学シートの背面を支持する第１シート支持板部と、該第１シート支持板部に対向しており、前記光学シートの正面を支持する第２シート支持板部とを備え、
前記パネル支持板部は、前記第２シート支持板部よりも正面側に配置してあることを特徴とする請求項５に記載の表示装置。
【発明の詳細な説明】
【技術分野】
【０００１】
本発明は、映像を表示する表示パネル及び光を拡散する光学シートを支持する表示装置に関する。
【背景技術】
【０００２】
従来の表示装置は、光源を支持する矩形のバックライトシャーシの正面側に、光を拡散する光学シートを配置し、該光学シートの正面側に枠状のフレームを配置して、該フレームと前記バックライトシャーシとにより、前記光学シートを挟持し、前記フレームの正面にて映像を表示する表示パネルを支持していた（特許文献１参照）。
【特許文献１】特開２００４−４８０９号公報
【発明の開示】
【発明が解決しようとする課題】
【０００３】
近年狭小な空間での設置を可能とするために薄型の表示装置が開発されており、特許文献１に記載の表示装置の薄型化を図るためには、大型の部品であるフレームを使用せずに表示装置を組み立てることが望ましい。しかし前記光学シート及び表示パネルを支持するためにフレームは必要であり、前記フレームの存在は表示装置の薄型化を阻止する要因となっている。
【０００４】
本発明は斯かる事情に鑑みてなされたものであり、光学シートを支持するシート支持部を、光源を支持するシャーシに一体的に設け、シート支持部の一部分にて表示パネルを支持することにより、小型のシート支持部にて前記光学シート及び表示パネルを支持し、薄型化を図ることができる表示装置を提供することを目的とする。
【０００５】
また光学シートを支持するシート支持部及び表示パネルを支持するパネル支持板部を、光源を支持するシャーシに一体的に設けることにより、小型のシート支持部及びパネル支持板部にて光学シート及び表示パネルを支持し、薄型化を図ることができる表示装置を提供することを目的とする。
【課題を解決するための手段】
【０００６】
本発明に係る表示装置は、映像を表示する表示パネルと、該表示パネルの背面側に配置してあり、光を拡散する光学シートと、該光学シートの背面側に配置してあり、光源を支持するシャーシとを備える表示装置において、前記シャーシと一体に設けてあり、前記光学シートを支持するシート支持部を備え、前記シート支持部の一部にて前記表示パネルを支持するようにしてあることを特徴とする。
【０００７】
本発明においては、前記シート支持部を前記シャーシに一体的に設けることにより、小型のシート支持部にて光学シート及び表示パネルを支持し、表示装置の薄型化を図る。
【０００８】
本発明に係る表示装置は、前記シート支持部は、前記光学シートの背面を支持する第１シート支持板部と、該第１シート支持板部に対向しており、前記光学シートの正面を支持する第２シート支持板部とを備え、該第２シート支持板部の正面にて、前記表示パネルの背面を支持するようにしてあることを特徴とする。
【０００９】
本発明においては、前記第１シート支持板部及び第２シート支持板部の間で光学シートを安定に保持し、第２シート支持板部で光学シート及び表示パネルを支持する。
【００１０】
本発明に係る表示装置は、前記第２シート支持板部の前記第１シート支持板部に対向する角部分に傾斜面を形成してあることを特徴とする。
【００１１】
本発明においては、光学シートを前記シャーシに取り付ける場合に、光学シートの縁部分を前記傾斜面に当接させて、光学シートを前記第１シート支持板部及び第２シート支持板部の間に誘導する。
【００１２】
本発明に係る表示装置は、前記シート支持部を複数備え、前記シャーシは四角形状をなし、前記シャーシの互いに対向する二つの縁部分に前記シート支持部をそれぞれ設けてあることを特徴とする。
【００１３】
本発明においては、前記シャーシの互いに対向する二つの縁部分に前記シート支持部をそれぞれ設けることにより、光学シートの縁部分を両側から支持し、光学シートを安定に支持する。
【００１４】
本発明に係る表示装置は、光源を支持するシャーシと、該シャーシの正面側に配置してあり、前記光源から照射された光を拡散する光学シートと、該光学シートの正面側に配置してあり、該光学シートを透過した光により映像を表示する表示パネルとを備える表示装置において、前記光学シートを支持するシート支持部及び前記表示パネルを支持するパネル支持板部を前記シャーシと一体に設けてあることを特徴とする。
【００１５】
本発明においては、光学シートを支持するシート支持部及び前記表示パネルを支持するパネル支持板部を前記シャーシと一体に設けることにより、小型のシート支持部及びパネル支持板部にて光学シート及び表示パネルを支持し、表示装置の薄型化を図る。
【００１６】
本発明に係る表示装置は、前記シート支持部は、前記光学シートの背面を支持する第１シート支持板部と、該第１シート支持板部に対向しており、前記光学シートの正面を支持する第２シート支持板部とを備え、前記パネル支持板部は、前記第２シート支持板部よりも正面側に配置してあることを特徴とする。
【００１７】
本発明においては、前記第１シート支持板部及び第２シート支持板部を設けて、前記第１シート支持板部及び第２シート支持板部の間で光学シートを安定に保持する。また前記第２シート支持板部よりも正面側にパネル支持板部を配置して、第２シート支持板部及びパネル支持板部の間に前記光学シート及び表示パネルの密着を回避するための隙間を空けて、パネル支持板部で表示パネルを支持する。
【発明の効果】
【００１８】
本発明に係る表示装置にあっては、光学シートを支持するシート支持部を、光源を支持するシャーシに一体的に設け、シート支持部の一部分にて表示パネルを支持することにより、小型のシート支持部にて前記光学シート及び表示パネルを支持し、薄型化を図ることができる。
【００１９】
また前記光学シートの背面を支持する第１シート支持板部を設け、光学シートの正面を支持する第２シート支持板部を設けることにより、前記第１シート支持板部及び第２シート支持板部の間で光学シートを安定に保持し、また第２シート支持板部の正面で表示パネルを支持して、光学シートの脱落を確実に防止すると共に光学シート及び表示パネルを支持するための部品点数を削減することができる。
【００２０】
また前記第２シート支持板部の前記第１シート支持板部に対向する角部分に傾斜面を形成することにより、前記光学シートを前記シャーシに取り付ける場合に、光学シートの縁部分を前記傾斜面に当接させて、光学シートを前記第１シート支持板部及び第２シート支持板部の間に誘導し、光学シートの取り付けを迅速に行うことができる。
【００２１】
また四角形状をなすシャーシの互いに対向する二つの縁部分に、複数のシート支持部をそれぞれ設けることにより、光学シートの縁部分を両側から支持し、光学シートを安定に支持して、光学シートの脱落を確実に防止することができる。
【００２２】
また光学シートを支持するシート支持部及び表示パネルを支持するパネル支持板部を、光源を支持するシャーシに一体的に設けることにより、小型のシート支持部及びパネル支持板部にて前記光学シート及び表示パネルを支持し、薄型化を図ることができる。
【００２３】
また前記第１シート支持板部及び第２シート支持板部を設け、前記第２シート支持板部よりも正面側にパネル支持板部を配置することにより、第１シート支持板部及び第２シート支持板部の間で光学シートを安定に保持し、また第２シート支持板部及びパネル支持板部の間に必要最小限の隙間を空けて、光学シートの脱落を防止すると共に光学シートと表示パネルとの密着を防止することができる。
【発明を実施するための最良の形態】
【００２４】
（実施の形態１）
以下本発明を実施の形態１に係る表示装置を示す図面に基づいて詳述する。図１は表示装置を示す模式的外観斜視図、図２は図１におけるＩＩ−ＩＩ線での表示装置の上側部付近を拡大した略示側面断面図、図３はバックライトシャーシの要部構成を示す模式的部分拡大斜視図、図４は図１におけるＩＶ−ＩＶ線でのリヤキャビネットの記載を省略した略示側面断面図、図５は図１におけるＶ−Ｖ線での略示側面断面図、図６は光学シートのバックライトシャーシへの取り付けを説明する模式的側面断面図である。
【００２５】
図において１は開口１ａを有する矩形枠状のフロントキャビネットであり、該フロントキャビネット１の背面側に、前記開口１ａに対応しており、液晶を使用して映像を表示する矩形の表示パネル２が配置してある。該表示パネル２の背面側には矩形のリヤキャビネット３が設けてあり、該リヤキャビネット３及びフロントキャビネット１に前記表示パネル２を収容してある。
【００２６】
前記表示パネル２と、前記リヤキャビネット３との間に、図示しないランプクリップを介して複数の蛍光管４、４、・・・、４を支持するバックライトシャーシ５が設けてある。該バックライトシャーシ５は前記リヤキャビネット３に対向する矩形の底面部５ａを備えている。
図２及び図６に示すように、該底面部５ａの上下側部に沿って、奥行寸法に対して左右寸法の長い二つの側面板部５ｂ、５ｂがそれぞれ正面側に延出しており、該側面板部５ｂ、５ｂは、両側面板部５ｂ、５ｂ間の上下幅が正面に向かうにつれて拡大するように底面部５ａに対して傾斜している。
【００２７】
上側にある側面板部５ｂの上縁部分に沿って、上下寸法に対して左右寸法の長い第１シート支持板部５ｃが上向きに延出しており、また下側にある側面板部５ｂの下縁部分に沿って、上下寸法に対して左右寸法の長い第１シート支持板部５ｃが下向きに延出している。二つの該第１シート支持板部５ｃ、５ｃの正面にて、前記蛍光管４、４、・・・、４から照射された光を拡散しており、前記開口１ａと略同寸の光学シート６が支持してあり、該光学シート６の背面上下側部を前記第１シート支持板部５ｃ、５ｃにて保持してある。
【００２８】
二つの前記第１シート支持板部５ｃ、５ｃの延出端部に沿って、奥行寸法に対して左右寸法の長い二つの延出板部５ｄ、５ｄが正面側にそれぞれ延出している。延出板部５ｄは第１シート支持板部５ｃに対し略直角になっている。
【００２９】
上側にある前記延出板部５ｄの延出端部に沿って、上下寸法が第１シート支持板部５ｃの上下寸法と略同じであり、上下寸法に対して左右寸法の長い第２シート支持板部５ｅが垂下してあり、また下側にある前記延出板部５ｄの延出端部に沿って、上下寸法が第１シート支持板部５ｃの上下寸法と略同じであり、上下寸法に対して左右寸法の長い第２シート支持板部５ｅが上向きに延出してある。二つの前記第２シート支持板部５ｅ、５ｅは、二つの前記第１シート支持板部５ｃ、５ｃにそれぞれ対向しており、第２シート支持板部５ｅ、５ｅにて前記光学シート６の正面上下側部を保持してある。
【００３０】
また二つの第２シート支持板部５ｅ、５ｅの端部において、第１シート支持板部５ｃ、５ｃに対向する角部分に二つの傾斜面５ｆ、５ｆをそれぞれ形成してあり、該傾斜面５ｆ、５ｆに沿って、光学シート６の縁部分を第１シート支持板部５ｃ、５ｃ及び第２シート支持板部５ｅ、５ｅの間に案内するようにしてある。
【００３１】
なお前記バックライトシャーシ５は射出成形してあり、前記底面部５ａ、側面板部５ｂ、５ｂ、第１シート支持板部５ｃ、５ｃ、延出板部５ｄ、５ｄ及び第２シート支持板部５ｅ、５ｅは一体になっている。
【００３２】
前記第２シート支持板部５ｅ、５ｅは前記表示パネル２の背面側に位置している。前記第２シート支持板部５ｅ、５ｅ及び表示パネル２の間、並びに前記表示パネル２及びフロントキャビネット１の間に、棒状の複数の弾性部材７、７、・・・、７をそれぞれ配設してあり、前記表示パネル２は前記弾性部材７、７、・・・、７を介して、前記第２シート支持板部５ｅ、５ｅ及びフロントキャビネット１により挟持されている。
【００３３】
図４に示す如く、上側にある前記延出板部５ｄに、前記フロントキャビネット１の背面に対向するブロック部１５が連なっており、該ブロック部１５の正面に、ねじ溝を内側に形成してある有底円筒上のボス部１５ｐが設けてある。該ボス部１５ｐに対応する挿通孔１ｐが前記フロントキャビネット１に貫通して設けてあり、該挿通孔１ｐにビスＳ１を挿通し、前記ボス部１５ｐに螺合してある。該螺合により、前記バックライトシャーシ５及びフロントキャビネット１を連結し、前記バックライトシャーシ５と、前記フロントキャビネット１との間で前記表示パネル２を狭圧してある。
【００３４】
図５に示す如く、前記リヤキャビネット３には貫通孔３ｑを設けてある。該貫通孔３ｑに対応する貫通した円筒ボス５ｑが前記底面部５ａに設けてあり、該円筒ボス５ｑの内側にはねじ溝を形成してある。前記貫通孔３ｑにビスＳ２を挿通し、前記円筒ボス５ｑに螺合して前記リヤキャビネット３と、前記バックライトシャーシ５とを連結してある。
また図２に示す如く、前記フロントキャビネット１の上下側部に二つの係止爪部１ｂ、１ｂがそれぞれ設けてあり、該係止爪部１ｂ、１ｂに対応する二つの係止凹部３ｂ、３ｂが前記リヤキャビネット３に設けてある。前記係止爪部１ｂ、１ｂと、前記係止凹部３ｂ、３ｂとを係合して前記フロントキャビネット１を前記リヤキャビネット３に固定してある。
【００３５】
次に表示装置の組立手順について説明する。
まず前記リヤキャビネット３と、前記バックライトシャーシ５とを前記ビスＳ２により連結する。次にバックライトシャーシ５の正面側に光学シート６を配置し、図６（ａ）に示す如く、前記光学シート６の上下側部を二つの傾斜面５ｆ、５ｆにて係止する。そして図６（ｂ）の白抜矢符にて示す如く、前記光学シート６を前記バックライトシャーシ５に近接させて、前記光学シート６の上下側部を前記第１シート支持板部５ｃ、５ｃ及び第２シート支持板部５ｅ、５ｅの間に挿入し、光学シート６を固定する。
次に前記係止爪部１ｂ、１ｂと、前記係止凹部３ｂ、３ｂとを係合し、前記フロントキャビネット１をリヤキャビネット３に固定して、前記表示パネル２を挟持し、前記ビスＳ１により、前記フロントキャビネット１及びバックライトシャーシ５を連結する。このとき前記バックライトシャーシ５と、前記フロントキャビネット１との間で前記表示パネル２を狭圧する。
【００３６】
実施の形態１に係る表示装置にあっては、光学シート６を支持する第１シート支持板部５ｃ、５ｃ及び第２シート支持板部５ｅ、５ｅを、光源を支持するシャーシに一体的に設け、第２シート支持板部５ｅ、５ｅにて表示パネル２を支持することにより、小型の第１シート支持板部５ｃ、５ｃ及び第２シート支持板部５ｅ、５ｅにて前記光学シート６及び表示パネル２を支持し、薄型化を図ることができる。
【００３７】
また前記光学シート６の背面を支持する第１シート支持板部５ｃ、５ｃを設け、光学シート６の正面を支持する第２シート支持板部５ｅ、５ｅを設けることにより、前記第１シート支持板部５ｃ、５ｃ及び第２シート支持板部５ｅ、５ｅの間で光学シート６を安定に保持し、また第２シート支持板部５ｅ、５ｅの正面で表示パネル２を支持して、光学シート６の脱落を確実に防止すると共に光学シート６及び表示パネル２を支持するための部品点数を削減することができる。
【００３８】
また前記第２シート支持板部５ｅ、５ｅの前記第１シート支持板部５ｃ、５ｃに対向する角部分に傾斜面５ｆ、５ｆを形成することにより、光学シート６を前記バックライトシャーシ５に取り付ける場合に、光学シート６の縁部分を前記傾斜面５ｆ、５ｆに当接させて、光学シート６を前記第１シート支持板部５ｃ、５ｃ及び第２シート支持板部５ｅ、５ｅの間に誘導し、光学シート６の取り付けを迅速に行うことができる。
【００３９】
また互いに対向する二つの前記側面板部５ｂ、５ｂに、第１シート支持板部５ｃ、５ｃ及び第２シート支持板部５ｅ、５ｅを設けることにより、光学シート６の縁部分を両側から支持し、光学シート６を安定に支持して、光学シート６の脱落を確実に防止することができる。
【００４０】
（実施の形態２）
以下本発明を実施の形態２に係る表示装置を示す図面に基づいて詳述する。図７は表示装置の上側部付近を拡大した略示側面断面図、図８はバックライトシャーシの要部構成を示す模式的部分拡大斜視図である。
【００４１】
前記表示パネル２と、前記リヤキャビネット３との間に、図示しないランプクリップを介して複数の蛍光管４、４、・・・、４を支持するバックライトシャーシ５０が設けてある。該バックライトシャーシ５０は金属からなり、板金加工により形成してある。前記バックライトシャーシ５０は前記リヤキャビネット３に対向する矩形の底面部５０ａを備えている。該底面部５０ａの上下側部に沿って、奥行寸法に対して左右寸法の長い二つの側面板部５０ｂ、５０ｂがそれぞれ正面側に延出しており、該側面板部５０ｂ、５０ｂは底面部５０ａに対して直角になっている。上側にある側面板部５０ｂの上縁部分に沿って、上下寸法に対して左右寸法の長い第１シート支持板部５０ｃが上向きに延出しており、また下側にある側面板部５０ｂの下縁部分に沿って、上下寸法に対して左右寸法の長い第１シート支持板部５０ｃが下向きに延出している。
【００４２】
第１シート支持板部５０ｃ及び側面板部５０ｂに亘り、第１シート支持板部５０ｃ及び側面板部５０ｂの一部を切り起こして、第１シート支持板部５０ｃから正面方向に突出した側面視Ｌ状の複数のリブ５０ｄ、５０ｄ、・・・、５０ｄが、二つの第１シート支持板部５０ｃ、５０ｃにてそれぞれ左右方向に並設してある。
リブ５０ｄは、第１シート支持板部５０ｃから正面側に延出しており、奥行寸法に対して左右寸法の長い延出板部５０ｅを備える。該延出板部５０ｅは第１シート支持板部５０ｃに対し直角になっている。またリブ５０ｄは、前記延出板部５０ｅの延出端部に沿って側面板部５０ｂ側に延出しており、上下寸法に対して左右寸法の長い第２シート支持板部５０ｆを備える。該第２シート支持板部５０ｆは延出板部５０ｅに対し直角になっている。
前記第１シート支持板部５０ｃ、５０ｃの正面にて、前記光学シート６の背面上下側部を保持してあり、前記第２シート支持板部５０ｆ、５０ｆ、・・・、５０ｆの背面にて前記光学シート６の正面上下側部を保持してある。
【００４３】
なお一方の第１シート支持板部５０ｃに一つのリブ５０ｄを設け、他方の第１シート支持板部５０ｃに複数のリブ５０ｄ、５０ｄ、・・・、５０ｄを設けても良く、また二つの第１シート支持板部５０ｃ、５０ｃに一つずつリブ５０ｄ、５０ｄを設けても良い。またフロントキャビネット１、バックライトシャーシ５０及びリヤキャビネット３を連結する構成は実施の形態１に示した構成と同様であり、表示装置の組立も傾斜面による案内を除き、実施の形態１と同様に行われる。またバックライトシャーシ５０を射出成形にて成形し、前記リブ５０ｄをスライド成形にて成形しても良い。
【００４４】
実施の形態２に係る表示装置の構成の内、実施の形態１と同様な構成については同じ符号を付し、その詳細な説明を省略する。
【００４５】
（実施の形態３）
以下本発明を実施の形態３に係る表示装置を示す図面に基づいて詳述する。図９は表示装置の上側部付近を拡大した略示側面断面図、図１０はバックライトシャーシの要部構成を示す模式的部分拡大斜視図である。
【００４６】
前記第１シート支持板部５０ｃ及び側面板部５０ｂに亘り、前記第１シート支持板部５０ｃ及び側面板部５０ｂの一部を切り起こして、前記第１シート支持板部５０ｃから正面方向に突出した側面視Ｌ状の複数のリブ５１、５１、・・・、５１が、二つの第１シート支持板部５０ｃ、５０ｃにてそれぞれ左右方向に並設してある。該リブ５１、５１、・・・、５１は第１シート支持板部５０ｃ、５０ｃの上下方向中央部に配置してある。
【００４７】
リブ５１は、前記第１シート支持板部５０ｃから正面側に延出しており、第１シート支持板部５０ｃに直角な略正方形の延出板部５１ａを備えており、また該延出板部５１ａの延出端部に沿って、前記側面板部５０ｂ側に延出しており、延出板部５１ａに直角な略正方形の第２シート支持板部５１ｂを備えている。
前記第１シート支持板部５０ｃ、５０ｃの正面にて、前記光学シート６の背面上下側部を保持してあり、前記第２シート支持板部５１ｂ、５１ｂ、・・・５１ｂの背面にて前記光学シート６の正面上下側部を保持してある。
【００４８】
上側にある前記第１シート支持板部５０ｃの上縁部分には側面視Ｌ状のパネル支持桿５２が連ねてある。該パネル支持桿５２は、前記第１シート支持板部５０ｃの上縁部分に沿って正面側に延出しており、奥行寸法が左右寸法よりも短い延出板部５２ａを備えている。該延出板部５２ａの奥行寸法は、前記延出板部５１ａの奥行寸法よりも若干長くなっている。また前記パネル支持桿５２は、前記延出板部５２ａの延出端部に沿って下向きに延出しており、前記第１シート支持板部５０ｃに対向する矩形横長のパネル支持板部５２ｂを備えており、該パネル支持板部５２ｂは前記第２シート支持板部５１ｂよりも正面寄りに位置している。
【００４９】
また下側にある前記第１シート支持板部５０ｃの下縁部分には側面視Ｌ状のパネル支持桿５２が連ねてある。該パネル支持桿５２は、前記第１シート支持板部５０ｃの下縁部分に沿って正面側に延出しており、奥行寸法が左右寸法よりも短い延出板部５２ａを備えている。該延出板部５２ａの奥行寸法は、前記延出板部５１ａの奥行寸法よりも若干長くなっている。また前記パネル支持桿５２は、前記延出板部５２ａの延出端部に沿って上向きに延出しており、前記第１シート支持板部５０ｃに対向する矩形横長のパネル支持板部５２ｂを備えており、該パネル支持板部５２ｂは前記第２シート支持板部５１ｂよりも正面寄りに位置している。
二つの前記パネル支持板部５２ｂ、５２ｂの正面にて、前記表示パネル２の上下側部を前記弾性部材７、７、・・・、７を介して保持してある。
【００５０】
実施の形態３に係る表示装置にあっては、第１シート支持板部５０ｃ、５０ｃ及び第２シート支持板部５１ｂ、、５１ｂ、・・・５１ｂ並びにパネル支持板部５２ｂ、５２ｂを、光源を支持するバックライトシャーシ５０に一体的に設けることにより、小型の第１シート支持板部５０ｃ、５０ｃ、第２シート支持板部５１ｂ、、５１ｂ、・・・５１ｂ及びパネル支持板部５２ｂ、５２ｂにて前記光学シート６及び表示パネル２を支持し、薄型化を図ることができる。
【００５１】
また第１シート支持板部５０ｃ、５０ｃ及び第２シート支持板部５１ｂ、５１ｂ、・・・５１ｂを設け、前記第２シート支持板部５１ｂよりも正面側に前記パネル支持板部５２ｂ、５２ｂを配置することにより、第１シート支持板部５０ｃ、５０ｃ及び第２シート支持板部５１ｂ、５１ｂ、・・・５１ｂの間で光学シート６を安定に保持し、また第２シート支持板部５１ｂ、５１ｂ、・・・５１ｂ及びパネル支持板部５２ｂ、５２ｂの間に必要最小限の隙間を空けて、光学シート６の脱落を防止すると共に光学シート６と表示パネル２との密着を防止することができる。
【００５２】
なお一方の第１シート支持板部５０ｃに一つのリブ５１を設け、他方の第１シート支持板部５０ｃに複数のリブ５１、５１、・・・、５１を設けても良く、また二つの第１シート支持板部５０ｃ、５０ｃに一つずつリブ５１を設けても良い。またフロントキャビネット１、バックライトシャーシ５０及びリヤキャビネット３を連結する構成は実施の形態１に示した構成と同様であり、表示装置の組立も傾斜面による案内を除き、実施の形態１と同様に行われる。
【００５３】
実施の形態３に係る表示装置の構成の内、実施の形態１又は２と同様な構成については同じ符号を付し、その詳細な説明を省略する。
【図面の簡単な説明】
【００５４】
【図１】実施の形態１に係る表示装置を示す模式的外観斜視図である。
【図２】図１におけるＩＩ−ＩＩ線での表示装置の上側部付近を拡大した略示側面断面図である。
【図３】実施の形態１に係る表示装置のバックライトシャーシの要部構成を示す模式的部分拡大斜視図である。
【図４】図１におけるＩＶ−ＩＶ線でのリヤキャビネットの記載を省略した略示側面断面図である。
【図５】図１におけるＶ−Ｖ線での略示側面断面図である。
【図６】実施の形態１に係る表示装置の光学シートのバックライトシャーシへの取り付けを説明する模式的側面断面図である。
【図７】実施の形態２に係る表示装置の上側部付近を拡大した略示側面断面図である。
【図８】実施の形態２に係る表示装置のバックライトシャーシの要部構成を示す模式的部分拡大斜視図である。
【図９】実施の形態３に係る表示装置の上側部付近を拡大した略示側面断面図である。
【図１０】実施の形態３に係る表示装置のバックライトシャーシの要部構成を示す模式的部分拡大斜視図である。
【符号の説明】
【００５５】
１  フロントキャビネット
２  表示パネル
３  リヤキャビネット
４  蛍光管（光源）
５、５０  バックライトシャーシ（シャーシ）
６  光学シート
５ｃ、５０ｃ  第１シート支持板部（シート支持部）
５ｅ、５０ｆ、５１ｂ  第２シート支持板部（シート支持部）
５ｆ  傾斜面
５０ｆ、５２ｂ  パネル支持板部
５２  パネル支持桿
【図１】
2009210813.tif 000003
【図２】
2009210813.tif 000004
【図３】
2009210813.tif 000005
【図４】
2009210813.tif 000006
【図５】
2009210813.tif 000007
【図６】
2009210813.tif 000008
【図７】
2009210813.tif 000009
【図８】
2009210813.tif 000010
【図９】
2009210813.tif 000011
【図１０】
2009210813.tif 000012